(57)【要約】【課題】網シート状の補強材を用いた補強土構造体において、土留壁と補強材を容易に連結せしめる連結方法を提供することを目的とする。【解決手段】壁面がパネル構造における補強土構造体で、盛土を補強するために盛土内部に埋設される材料が網シート状の盛土補強材であって、壁面パネルと盛土補強材とを連結する方法において、盛土補強材と同じ材料である網シート状の連結用補強材の、横材が少なくとも１本以上を備えた連結用補強材の一端がパネル背面から背後側に突出されてなる壁面パネルに埋め込まれた連結用補強材と、盛土補強材を連結装置により接続せしめることを特徴とする。【選択図】        図１
2004270410.tif 000002
【特許請求の範囲】
【請求項１】
壁面がパネル構造における補強土構造体で、盛土を補強するために盛土内部に埋設される材料が網シート状の盛土補強材であって、壁面パネルと盛土補強材とを連結する方法において、
盛土補強材と同じ材料である網シート状の連結用補強材の、横材が少なくとも１本以上を備えた連結用補強材の一端がパネル背面から背後側に突出されてなる壁面パネルに埋め込まれた連結用補強材と、盛土補強材を連結装置により接続せしめることを特徴とする壁面がパネル構造における補強土構造体の連結方法。
【請求項２】
壁面パネル内部に埋め込まれる１枚の連結用補強材の両端部が１枚の壁面パネルの背面の上下方向に離れた２箇所から突出されてなることを特徴とする請求項１記載の補強土構造体の連結方法。
【発明の詳細な説明】
【０００１】
【発明の属する技術分野】
本発明は、盛土法面が崩壊することを防止し、安定した法面を形成するために盛土に埋設して用いられる網シート状の盛土補強材と土留壁とを接続する連結方法に関する。
【０００２】
【従来の技術】
たとえば、道路や鉄道を敷設する場合などに行われる盛土工法では、法面の崩壊を防止するために土留壁体が設けられる。土留壁体にはコンクリート製のパネル壁体などが用いられており、また、盛土を補強するためには補強材が用いられるが、これらには支圧アンカーや鋼製ストリップや網シート状の補強材および格子状鉄筋グリッド等が使用されている。これらの盛土補強材と壁面パネルを連結するには、鋼製の連結金具等を介してボルトやナットで固定され連結する方法がとられていた。
【０００３】
しかし、このような連結方法では別途連結金具が必要となり、また、ボルトやナットなどの締結材料の使用による施工作業の手間という欠点があった。
【発明が解決しようとする課題】
【０００４】
かかる状況にあって、上記の従来の問題点の解消が本発明の目的であり、発明者は問題解消のために網シート状の補強材を盛土補強材に用いた場合の連結方法を検討し、その結果、本発明に至ったものである。すなわち、本発明の目的は次のとおりである。
１．低コストの補強材を用いた低コストな連結方法を提供すること。
２．部材点数を少なくした連結方法を提供すること。
３．壁面パネルと補強材の容易な連結方法を提供すること。
上記３項目を満足することによって、容易な連結方法を備えた低コストの補強土構造体を提供することである。
【０００５】
【課題を解決するための手段】
この課題を解決するために本発明の第１の実施の形態は、壁面がパネル構造における補強土構造体で、盛土を補強するために盛土内部に埋設される材料が網シート状の盛土補強材であって、壁面パネルと盛土補強材とを連結する方法において、
盛土補強材と同じ材料である網シート状の連結用補強材の、横材が少なくとも１本以上を備えた連結用補強材の一端がパネル背面から背後側へ突出されてなる壁面パネルに埋め込まれた連結用補強材と、盛土補強材を連結装置により接続せしめることを特徴とする。
【０００６】
本発明に従えば、盛土補強材と同じ材料の連結用補強材がコンクリート製の壁面パネルの製造段階において埋め込まれる。このとき、連結用補強材の横材の少なくとも１本以上を備えた連結用補強材の一端が壁面パネル背面から背後側へ突出している。突出した連結用補強材の背後側端部横材と盛土補強材の前方側端部横材を連結装置に係止させることにより、連結用補強材と盛土補強材、すなわち壁面パネルと盛土補強材は連結される。
【０００７】
これによって、土留壁が土圧を受け、これにともなって盛土内部に埋設されている補強材が変位しようとするときに、壁面パネルと補強材が離脱しないように連結することができる。したがって、補強材が受ける摩擦抵抗力は、土留壁が前方へ倒れようとするのを阻止するように作用する。このような連結構造により、壁面パネルと補強材を一体化させる上で最も重要な連結部の安全性が高められるとともに、土留壁に大きな土圧が作用し土留壁が変位を生じようとするのを補強材の摩擦抵抗力により阻止することができ、斜面の崩壊を確実に防止する。
【０００８】
本発明の第２の実施の形態は、壁面パネル内部に埋め込まれる１枚の連結用補強材の両端部が１枚の壁面パネルの背面の上下方向に離れた２箇所から突出されてなることを特徴とする。
【０００９】
本発明に従えば、１枚の連結用補強材をコンクリートパネル製造段階において埋め込む際に、連結用補強材の両端をパネル壁面の背面の上下に離して突出させる。上下２箇所から突出された連結用補強材の両端は互いに盛土補強材に連結され、土留壁に作用する土圧を盛土補強材に伝達する。
【００１０】
このように、連結用補強材の両端が共に引張力を受けることにより、壁面パネルに埋め込まれた連結用補強材が壁面パネルから抜け出そうとする作用を防ぎ、確実に連結することができる。
【００１１】
【発明の実施の形態】
以下、本発明の実施の形態について、図面に基づいて説明する。
図２は補強土構造体１０の内部構造を示す斜視図である。補強土構造体１０は土留壁１１と、背面盛土１２と、盛土補強材１３によって構成され、補強土構造体１０は、たとえば道路や鉄道を敷設するにあたって斜面が崩れ落ちて崩壊することを防止し、安定した法面を形成するために構築される。このような補強土構造体１０では、土留壁１１と盛土補強材１３が一体化することで土留壁１１に作用する土圧により土留壁１１が前へ倒れようとする力を盛土補強材１３の引抜き抵抗力により抗していることから、土留壁１１と盛土補強材１３の連結がもっとも重要とされる。
【００１２】
土留壁１１はコンクリート製の壁面パネル２０で形成されており、一般には土留壁１１を壁面パネルとした場合には支圧アンカーや鋼製ストリップ、または、網シート状の盛土補強材等の補強体が用いられる。ここに、本発明の目的の１つである低コストの盛土補強材を用いることに対して、網シート状の盛土補強材を使用した。
【００１３】
図４は、網シート状の補強材３０の一部を示す平面図である。補強材３０は、一方向に延びる縦材３１と縦材３１とは異なる方向に延びる横材３２により形成され、可撓性を有し、たとえばポリエチレンから成る。具体的には、ポリエチレンを用いて成型して板状の素材を形成し、この素材を厚み方向に挿通する挿通孔をたとえばパンチングによって形成して格子状態を得り、このような格子状態を軟化点以上かつ融点未満の温度に加熱し、前記挿通孔を広げるように一方向に引張り、格子の状態に補強材３０が形成される。さらにポリエチレンにカーボンを含有することによって紫外線の内方への浸透を防ぎ紫外線劣化を防止するようにしてもよい。
【００１４】
次に、本発明の目的の１つである部材点数を減少化と容易な施工連結方法に対して、一般的に壁面パネルと盛土補強材を連結するために、壁面パネルに固定された連結金具が必要とされ、該連結金具は壁面パネル製造時に取り付けられているものや、施工時に壁面パネルに取り付けるものがあるが、どちらにしても金具等で形成されたものである。これらの連結金具４０は図８（特許第３３０８２４０号）に示すようなものであり、ボルトやナット４１で締結し盛土補強材４２と連結されている。
【００１５】
しかし、このような連結金具４０を用いた連結方法では、施工性の悪いボルトやナット４１を用いることにより、施工作業が細かなうえに施工スピードも劣っていた。これらの問題を解決するために、盛土補強材として用いられる網シート状の補強材１３を共材として連結金具４０のかわりに使用するもので、これにより鋼製の連結金具４０を用いることなく網シート状の補強材１３が兼用でき、部材点数の減少につなげたものである。
【００１６】
次に、連結用補強材１４が埋め込まれた壁面パネル２０の形成方法であるが、連結用補強材１４は壁面パネルの製造時、すなわち型枠にコンクリートを流し込む際に一緒に埋め込まれるものである。壁面パネル２０は工場の製造設備により、あらかじめ製造されたコンクリート部材、いわゆるプレキャスト製品と言われるもので、工場で製造されるために品質が保たれる他、短期的に大量の部材を生産することが可能である。このような設備のもとで、壁面パネル２０は所定の寸法に形成するための型枠を周囲に設置し、型枠の内部に補強用の鉄筋を上下方向と左右方向に金網状に配置する。また、補強用の鉄筋は設置前に金網状に形成されたものを用いても良い。壁面パネル２０の内部に鉄筋を配置するのは、壁の厚さを極力薄くすることで軽量化を図り、輸送および施工性を向上させることが目的である。
【００１７】
次に、連結用補強材１４を設置するのだが、連結用補強材１４は盛土補強材１３の引抜き力に耐えられる埋め込み構造が必要で、この問題を解決するために連結用補強材１４の埋め込まれる一端を直角に折り曲げ、折り曲げられた部分を鉄筋に這わせて結束、固定する。この方法により、連結用補強材１４が鉄筋と一体化し、抜け出しを防止する。
【００１８】
また、もう一つの抜け出し防止の手段として、連結用補強材１４の埋め込まれる一端を直角に折り曲げ、折り曲げられた部分を鉄筋の前方に配置する。この方法により、折り曲げられた部分は鉄筋により係止され、鉄筋より後方へは抜け出せない構造となり抜け出しを防止するものである。
【００１９】
次に、所定の位置に鉄筋と連結用補強材１４が設置された型枠内部にコンクリートを流し込む。このとき、連結用補強材１４の後方部分は型枠外部へ突出している状態である。所定の壁厚さまで流し込まれたコンクリートはそのままの状態で養生され、所定の設計基準強度、たとえば３０Ｎ／ｍｍ２を備えた壁面パネル２０が完成する。
【００２０】
次に、壁面パネル２０と盛土補強材１３の接合方法を図１にしたがって説明する。
まず、所定の位置に建て掛けた壁面パネル２０の後方に盛土を巻き出す。盛土の巻き出し厚さは、たとえば３０ｃｍである。３０ｃｍ毎に盛土を巻き出し、締固めを行い、盛土補強材１３が設置される高さまで繰り返す。盛土補強材１３が設置される高さには必ず連結用補強材１４が壁面パネルの背面から突出されている。
【００２１】
次に、連結用補強材１４と盛土補強材１３の連結であるが、連結には連結装置２１を用いて行う。連結装置２１は図５に示すように、断面略コの字状に形成され、補強材３０の縦材３１を収容するための開放部２４と、補強材３０の横材３２を係止するために壁面の延長方向に間隔をあけて設けられる複数の係止部２３を有し、連結用補強材１４の下方から連結用補強材１４の縦材３１が連結装置２１の開放部２４に収容されるように挿入する。このとき、少なくとも１本以上の横材３２が連結装置２１の係止部２３に係止されてなる。
【００２２】
次に、盛土上に敷設される盛土補強材１３の前方端部を連結用補強材１４の端部の上に重合わせるように覆い、盛土補強材１３の縦材３１を連結装置２１の開放部２４に収容する。このとき、連結用補強材１４と同じように、少なくとも１本以上の横材３２が連結装置２１の係止部２３に係止されてなる。続いて、収容された連結用補強材１４および盛土補強材１３と連結装置係止部２３の間に係止部材である連結ピン２２を左右どちらか一方から挿通する。連結ピン２２は図６に示すように、略Ｌ字状に形成され、一端がフック２７と成し抜け出しを防止している。
【００２３】
上述のように、土留壁１１と盛土補強材１３を一体化させる方法として、盛土補強材１３と同じ材料を共材として連結用補強材１４に用いることにより、単純な部材構成、容易な作業によって容易に連結することができる。したがって、現場での手間を極力少なくし、施工時間の短縮を図るとともに、低コストで補強土構造体１０を構築することができる。特に、道路もしくは鉄道を敷設する場合など、広範囲にわたって斜面を補強しなければならない場合には、施工時間を大幅に短縮することができる。
【００２４】
次に、本発明の第２の実施の形態について、図面にもとづいて説明する。
図７は壁面パネル２０の内部構造を示す断面図である。上述のとおり壁面パネルは鉄筋コンクリート構造、つまりＲＣ構造で形成されている。本発明の第２の実施の形態は、第１の実施の形態と同じように連結用補強材１４を壁面パネル２０の内に埋め込むものだが、埋め込まれる部分３５が端部ではなく中央部としている点が相違している。
【００２５】
このように、中央部を埋め込む事によって、連結用補強材１４の両端が壁面パネル背面の上下から突出されるが、上下両方ともに盛土補強材１３と連結され、引張力が作用するため、壁面パネル２０内部の連結用補強材埋設部３５に均等に力が作用し、片一方から抜け出しにくくなる効果がある。
【００２６】
これによって、土留壁１１が土圧を受け、これにともなって盛土内部に埋設されている盛土補強材１３が変位しようとするときに、壁面パネル２０と盛土補強材１３が離脱しないように連結することができる。したがって、盛土補強材１３が受ける摩擦抵抗力は、土留壁１１が前方へ倒れようとするのを阻止するように作用する。このような連結構造により、壁面パネル２０と盛土補強材１３を一体化させる上で最も重要な連結部の安全性が高められるとともに、土留壁１１に大きな土圧が作用し土留壁１１が変位を生じようとするのを盛土補強材１３の摩擦抵抗力により阻止することができ、斜面の崩壊を確実に防止する。
【００２７】
また、連結用補強材１４の突出部３４が盛土内部に敷設されている状態から、盛土補強材１３と同等に摩擦抵抗力を受け持っていることにより、土留壁１１背面の補強部分が無駄なく機能している。
【００２８】
【発明の効果】
請求項１記載の本発明によれば、補強土構造体で壁面がパネル構造の土留壁と網シート状の盛土補強材との接続に関して、壁面パネル内部に盛土補強材と同等の連結用補強材を共材として埋め込み、連結用補強材と盛土補強材を連結装置により連結することにで、土留壁と盛土補強材は一体化し、土留壁に作用する土圧を盛土補強材の抵抗力により土留壁に作用する土圧を最小限に抑えることが出来るとともに、単純な部材、容易な作業によって、容易に連結することができる。したがって、現場での施工性が著しく向上し、施工時間の短縮を図るとともに、低コストで補強土構造体を構築することができる。
【００２９】
請求項２記載の本発明によれば、パネル壁面内部に埋め込まれる連結用補強材の両端を１枚の材料から上下に突出させることにより、連結用補強材がパネル壁面から抜け出すことを防止する効果を発揮することができる。
【図面の簡単な説明】
【図１】本発明の第１の実施の形態の接続部を示す断面図である。
【図２】補強土構造体の内部構造を示す斜視図である。
【図３】本発明の第１の実施の形態の接続部を示す断面図と平面図である。
【図４】網シート状の補強材の一部を示す平面図である。
【図５】連結装置を示す斜視図である。
【図６】連結ピンを示す斜視図である。
【図７】本発明の第２の実施の形態の接続部を示す斜視図である。
【図８】従来の壁面がパネル構造における接続方法を示す断面図である。
【符号の説明】
１０  補強土構造体
１１  土留壁
１２  盛土
１３  盛土補強材
１４  連結用補強材
２０  壁面パネル
２１  連結装置
２２  連結ピン
２３  連結装置係止部
２４  連結装置開放部
２５  連結装置底面部
２６  連結装置左右端部
２７  連結ピンフック部
３０  網シート状の補強材
３１  補強材の縦材
３２  補強材の横材
３３  補強材の開口部
３４  連結用補強材突出部
３５  連結用補強材埋設部
４０  連結金具
４１  ボルト、ナット
４２  支圧アンカー
【図１】
2004270410.tif 000003
【図２】
2004270410.tif 000004
【図３】
2004270410.tif 000005
【図４】
2004270410.tif 000006
【図５】
2004270410.tif 000007
【図６】
2004270410.tif 000008
【図７】
2004270410.tif 000009
【図８】
2004270410.tif 000010